(57)【要約】【課題】  コンセント部や通線部の組み立て作業を容易に行え、ブッシングの密着を高めることができる防水コンセントを提供することである。【解決手段】  屋外と屋内との間にわたる電源線及び電線が通線され屋外側の造営面に取り付けられて使用する防水コンセント１１の本体１２に、電源線のコンセント部１３のコンセント差込口を内蔵し、本体１２内部に電線を通線する通線部１８を形成し、電源線のコンセント部１３のコンセント差込口と電線を通線する通線部１８とを一体型の差込口カバー１４で覆い、通線部１８に通線される電線を密着させるためのブッシング２３を保持するブッシング押さえ部２４を差込口カバー１４に着脱可能に装着する。そして、本体１２内部の通線部１８とコンセント部１３とを独立部品で形成された絶縁セパレータ部１７で仕切る。【選択図】  図１
2005317358.tif 000002
【特許請求の範囲】
【請求項１】
屋外と屋内との間にわたる電源線及び電線が通線され屋外側の造営面に取り付けられて使用する防水コンセントの本体と；
前記本体に内蔵された電源線のコンセント部のコンセント差込口と前記本体内部の電線を通線する通線部とを覆う一体型の差込口カバーと；
前記通線部に通線される電線を密着させるためのブッシングと；
前記ブッシングを保持し前記差込口カバーに着脱可能に装着されるブッシング押さえ部と；
前記本体内部の前記通線部と前記コンセント部とを仕切る独立部品で形成された絶縁セパレータ部と；
を備えたことを特徴とする防水コンセント。
【請求項２】
前記ブッシング押さえ部は、前記差込口カバーの係止部に着脱可能に装着するための爪部と、前記ブッシングを固定するための固定用リブとを備えたことを特徴とする請求項１記載の防水コンセント。
【請求項３】
前記ブッシング押さえ部は、前記差込口カバーへの装着位置ずれを防止するための補強リブを備えたことを特徴とする請求項２記載の防水コンセント。
【請求項４】
前記ブッシングは、前記電線を通線するための切り込み溝を有するとともに、前記電線の径に対応する位置に前記切り込み溝を橋絡する略円形状の橋絡部を備えたことを特徴とする請求項１ないし４のいずれか一記載の防水コンセント。
【発明の詳細な説明】
【技術分野】
【０００１】
本発明は、屋外と屋内との間に電線を通線し屋外側の造営面に取着して使用される防水コンセントに関する。
【背景技術】
【０００２】
例えば、建物の外壁で商用電源接続器（コンセント）を取り出したい場合は、防水性能を有した水コンセントを取り付けている。防水コンセントは、本体にコンセント部を収納して形成され、このコンセント部に建家内から電源線が接続される。すなわち、建家の外壁面に電源線を通す貫通孔が設けられ、この貫通孔に電源線を通してコンセント部に接続する。
【０００３】
このような防水コンセントは、建物の外壁で商用電源だけでなく、例えば温水器の電線を取り出したい場合には、防水コンセントの本体にコンセント部だけでなく電線を通線するための通線部を設け、この通線部に電線を通すようにしている（例えば、特許文献１参照）。すなわち、通線部には通線される電線を密着させるためのブッシングが設けられ、また、電線と電源線との絶縁距離を確保するために、コンセント部と通線部との間に絶縁セパレータ部が設けられている。そして、コンセント部及び通線部は絶縁セパレータで区切られて別々に設けられている。また、ブッシングは十字状切り込み溝を有しているものや、中央部より放射状の切り込み溝を有したもの等が用いられている。
【特許文献１】特開２００１−３０７８１８号公報（図１、図２）
【発明の開示】
【発明が解決しようとする課題】
【０００４】
ところが、コンセント部だけでなく電線を通線するための通線部を有した防水コンセントでは、コンセント部及び通線部は絶縁セパレータで区切られて別々に設けられているので、コンセント部と通線部におけるブッシングとは、別々に本体に取り付けなければならないので、取付作業の作業性が悪い。また、コンセント部と通線部におけるブッシングとを取り付けるための本体リブを別々に設けなければならない。
【０００５】
一方、十字状切り込み溝や放射状切り込み溝を有している従来のブッシングでは、例えば、電線の通線後に電線がブッシングの上方に偏った場合には、ブッシングが捲れて密着度が低下し防水コンセント内への異物の混入が発生しやすくなる。
【０００６】
本発明の目的は、コンセント部や通線部の組み立て作業を容易に行え、ブッシングの密着を高めることができる防水コンセントを提供することである。
【課題を解決するための手段】
【０００７】
請求項１の発明に係わる防水コンセントは、屋外と屋内との間にわたる電源線及び電線が通線され屋外側の造営面に取り付けられて使用する防水コンセントの本体と；前記本体に内蔵された電源線のコンセント部のコンセント差込口と前記本体内部の電線を通線する通線部とを覆う一体型の差込口カバーと；前記通線部に通線される電線を密着させるためのブッシングと；前記ブッシングを保持し前記差込口カバーに着脱可能に装着されるブッシング押さえ部と；前記本体内部の前記通線部と前記コンセント部とを仕切る独立部品で形成された絶縁セパレータ部と；を備えたことを特徴とする。
【０００８】
本発明および以下の発明において、特に指定しない限り用語の定義および技術的意味は以下による。防水コンセントは、屋外と屋内との間にわたる電源線及び電線が通線され屋外側の造営面に取り付けられて使用される。屋外と屋内との間には貫通孔が設けられ、この貫通孔に電源線及び電線が通線される。
【０００９】
防水コンセントの本体は、電源を供給するためのコンセント部と電線を通線するための通線部とを内蔵し、コンセント部及び通線部の差込口が直接的に外部に露出しないように、コンセント部及び通線部の差込口は下方斜め方向に向けて配置され、その上部を本体で覆うように形成される。
【００１０】
差込口カバーは、本体に内蔵された電源線のコンセント部のコンセント差込口及び本体内部の通線部の差込口側を覆うものであり、コンセント差込口及び通線部の差込口に対して一つの部材で一体型で形成される。この差込口カバーにより外部からの本体内部への異物の進入を防止している。
【００１１】
ブッシングは、電線を通線する通線部に通線される電線を密着させるためのものであり、電線を通すための切り込み溝を有し、例えば、弾力性や柔軟性のあるゴム部材で形成される。切り込み溝は十字状切り込み溝や放射状切り込み溝のいずれであってもよい。ブッシング押さえ部は、ブッシングを保持し一体化されて形成された差込口カバーに着脱可能に装着される。
【００１２】
また、絶縁セパレータ部は電源線が接続されるコンセント部と電線が通線される通線部との絶縁距離を確保するものであり、独立部品で形成される。そして、コンセント部や通線部の取付作業後に本体内部の通線部とコンセント部との間に装着されて、コンセント部と通線部とを仕切る。
【００１３】
本発明によれば、コンセント部及び通線部を覆う差込口カバーは一つの部材で一体的に形成され、絶縁セパレータ部は独立部品で形成されてコンセント部や通線部の取付作業後に本体内部の通線部とコンセント部との間に装着されるので、通線部とコンセント部との取り付け作業は比較的広い範囲での組み立てとなる。また、差込口カバーにコンセント部や通線部のブッシングを形成した後に差込口カバーを本体に取り付けることも可能となり作業性が向上する。
【００１４】
請求項２の発明に係わる防水コンセントは、請求項１の発明において、前記ブッシング押さえ部は、前記差込口カバーの係止部に着脱可能に装着するための爪部と、前記ブッシングを固定するための固定用リブとを備えたことを特徴とする。
【００１５】
ブッシング押さえ部の爪部は、差込口カバーの係止部と係合して差込口カバーに着脱可能に装着される。また、ブッシング押さえ部の固定用リブはブッシングに設けられた固定用穴を貫通してブッシングを固定する。
【００１６】
本発明によれば、差込口カバーは一つの部材でコンセント部及び通線部を覆うように一体的に形成され、通線部の位置する部分にブッシング押さえ部の爪部と係合する係止部を設けているので、ブッシング押さえ部を固定するための本体リブを設ける必要がなくなる。
【００１７】
請求項３の発明に係わる防水コンセントは、請求項２の発明において、前記ブッシング押さえ部は、前記差込口カバーへの装着位置ずれを防止するための補強リブを備えたことを特徴とする。
【００１８】
ブッシング押さえ部の補強リブは、ブッシングに設けられた固定用穴を貫通してブッシングを固定するとともに、その先端部は差込口カバーの装着穴に挿入され、ブッシング押さえ部の差込口カバーへの装着を強固なものとする。
【００１９】
本発明によれば、ブッシング押さえ部の補強リブは差込口カバーの装着穴に挿入されるので、ブッシング押さえ部の差込口カバーに対するずれが少なくなり、固着力も向上する。従って、電線がブッシングを介して通線部に通線され電線がブッシング押さえ部内で偏った位置となった場合でもブッシング押さえ部の差込口カバーに対するずれを抑制できブッシングにより密着も保持できる。
【００２０】
請求項４の発明に係わる防水コンセントは、請求項１ないし４のいずれか一の発明において、前記ブッシングは、前記電線を通線するための切り込み溝を有するとともに、前記電線の径に対応する位置に前記切り込み溝を橋絡する略円形状の橋絡部を備えたことを特徴とする。
【００２１】
ブッシングの橋絡部は、電線の径に対応する位置に切り込み溝を橋絡して略円形状に形成される。従って、電線がブッシングを介して通線部に通線されたときに橋絡部により電線の外周面を保持する。
【００２２】
本発明によれば、ブッシングの橋絡部により電線の外周面を保持するので、電線がブッシングのいずれかに偏ることを防止でき、ブッシングが捲れて密着度が低下することを抑制できる。
【発明の効果】
【００２３】
請求項１の発明によれば、コンセント部及び通線部を覆う差込口カバーは一つの部材で一体的に形成され、絶縁セパレータ部は独立部品で形成されてコンセント部や通線部の取付作業後に本体内部の通線部とコンセント部との間に装着されるので、通線部とコンセント部との取り付け作業は比較的広い範囲での組み立てとなる。また、差込口カバーにコンセント部や通線部のブッシングを形成した後に差込口カバーを本体に取り付けることも可能となり作業性が向上する。
【００２４】
請求項２の発明によれば、差込口カバーは一つの部材でコンセント部及び通線部を覆うように一体的に形成され、通線部の位置する部分にブッシング押さえ部の爪部と係合する係止部を設けているので、ブッシング押さえ部を固定するための本体リブを設ける必要がなくなる。
【００２５】
請求項３の発明によれば、ブッシング押さえ部の補強リブは差込口カバーの装着穴に挿入されるので、ブッシング押さえ部の差込口カバーに対するずれが少なくなり、固着力も向上する。従って、電線がブッシングを介して通線部に通線され電線がブッシング押さえ部内で偏った位置となった場合でもブッシング押さえ部の差込口カバーに対するずれを抑制できブッシングにより密着も保持できる。
【００２６】
請求項４の発明によれば、ブッシングの橋絡部により電線の外周面を保持するので、電線がブッシングのいずれかに偏ることを防止でき、ブッシングが捲れて密着度が低下することを抑制できる。
【発明を実施するための最良の形態】
【００２７】
図１は本発明の実施の形態に係わる防水コンセントの側面内部概略構成図、図２は図１のＡ方向から見た防水コンセントの正面図、図３は図１のＢ方向から見た防水コンセントの背面図、図４は図１のＣ方向から見た防水コンセントの差込口の平面図である。
【００２８】
防水コンセント１１は、本体１２の内部にコンセント部１３及び差込口カバー１４が内蔵されて構成されている。本体１２の背面側が屋外側の造営面に取り付けられ、建家内からの電源線が建家の貫通孔を介して防水コンセント１１の本体１２の内部に接続される。
【００２９】
コンセント部１３の背面側には、図３に示すように電源線を接続するための一対の電源端子挿入孔１５を有し、また、接地極端子挿入孔１６を有している。また、コンセント部１３に隣接して、絶縁セパレータ部１７で仕切られて通線部１８が形成されている。絶縁セパレータ部１７は本体１２内部の通線部１８とコンセント部１３とを仕切る独立部品で形成され、コンセント部１３にネジ１０で固定される。また、コンセント部１３の接地極端子挿入孔１６の背面側からは、図１に示すようにアース導体部１９が引き出され、そのアース導体部１９はアース線取付端子２０に接続され、このアース線取付端子２０にアース線が接続される。
【００３０】
コンセント部１３及び通線部１８の正面側には、図４に示すように、これらコンセント部１３及び通線部１８の正面側を覆う差込口カバー１４が設けられている。差込口カバー１４にはコンセント部のコンセント差込口に電源プラグの電源用栓刃を差し込むための差込貫通孔２１及びアース差込口に接地極用栓刃を差し込むための差込貫通孔２２が設けられ、また、通線部１８に通線される電線を密着させるためのブッシング２３を保持するためのブッシング押さえ部２４が装着される凹部が設けられている。図４では、その凹部にブッシング２３を保持したブッシング押さえ部２４が装着された状態を示している。また、本体１２には電線を保持するためのコード押さえ部２５が設けられている。
【００３１】
図５は差込口カバー１４の正面図、図６は差込口カバー１４の背面図、図７は図６のＤ方向から見た差込口カバー１４の側面図である。
【００３２】
差込口カバー１４は、本体１２に内蔵された電源線のコンセント部１３のコンセント差込口及び本体１２内部の通線部１８の差込口側を覆うものであり、コンセント部１３の正面側を覆う部分には、差込貫通孔２１及び差込貫通孔２２が設けられ、また、通線部１８の正面側を覆う部分には、ブッシング押さえ部２４が装着される凹部２６が設けられている。
【００３３】
凹部２６の中央部には電線を通すための通線貫通孔２７が設けられており、この通線貫通孔１７を覆う位置にブッシング押さえ部２４で保持されたブッシング２３が位置することになる。また、ブッシング押さえ部２４を係止するための係止部２８が設けられており、この係止部２８にブッシング押さえ部２４の爪部が挿入されてブッシング押さえ部２４は差込口カバー１４に保持されることになる。さらに、ブッシング押さえ部２４の差込口カバー１４への装着位置ずれを防止するための補強リブが挿入される装着穴２９が設けられている。
【００３４】
一方、差込口カバー１４の背面側、すなわち本体１２の内部側には、コンセント部１３の一対のコンセント差込口を仕切る絶縁仕切板３０が設けられ混触を防止している。このように、差込口カバー１４はコンセント部１３のコンセント差込口及び通線部１８の差込口に対して一つの部材で一体型で形成され、この差込口カバー１４により外部からの本体１２内部への異物の進入を防止している。
【００３５】
図８は絶縁セパレータ１７の正面図、図９は図８のＥ方向から見た絶縁セパレータ１７の側面図、図１０は絶縁セパレータ１７の背面図である。
【００３６】
絶縁セパレータ部１７は電源線が接続されるコンセント部１３と電線が通線される通線部１８との絶縁距離を確保するものであり、独立部品で形成される。そして、コンセント部１３や通線部の取付作業後に、取付部３１にネジ１０が装着されコンセント部１３にネジ止めされる。これにより、絶縁セパレータ部１７は、本体１２内部の通線部１８とコンセント部１３との間に装着されて、コンセント部１３と通線部１８とを仕切る。
【００３７】
図１１はブッシング押さえ部２４の正面図、図１２は図１１のＦ方向から見たブッシング押さえ部２４の側面図、図１３は図１１のＧ方向から見たブッシング押さえ部２４の底面図、図１４はブッシング押さえ部２４の背面図である。
【００３８】
ブッシング押さえ部２４は、差込口カバー１４の係止部２８に着脱可能に装着するための爪部３２と、ブッシング２３を固定するための固定用リブ３３と、
差込口カバー１４への装着位置ずれを防止するための補強リブ３４とを有し、さらに差込口カバ１４ーの通線貫通孔２７と対面する通線貫通孔３５を有している。
【００３９】
ブッシング押さえ部２４の爪部３２は、差込口カバー１４の係止部２８と係合して差込口カバー１４に着脱可能に装着される。また、ブッシング押さえ部２４の固定用リブ３３はブッシング２３に設けられた固定用穴を貫通してブッシング２３を固定する。
【００４０】
ブッシング押さえ部２４の補強リブ３４は、ブッシング２３に設けられた固定用穴を貫通してブッシング２３を固定するとともに、その先端部は差込口カバー１４の装着穴に挿入され、ブッシング押さえ部２４の差込口カバー１４への装着を強固なものとする。
【００４１】
図１５はブッシング２３の正面図、図１６はブッシング２３の背面図である。ブッシング２３は、電線を通線するための切り込み溝３６を有するとともに、電線の径に対応する位置に切り込み溝３６を橋絡する略円形状の橋絡部３７を備えている。また、ブッシング押さえ部２４の固定用リブ３３が挿入される固定用穴３８及びブッシング押さえ部２４の補強リブ３４が挿入される固定用穴３９を備えている。
【００４２】
電線を通線するための切り込み溝３６は放射状に形成され、ブッシング２３の背面側には、放射状の切り込み溝３６の途中に橋絡部３７が略円形状に形成されている。この橋絡部３７は、電線の径に対応する位置に切り込み溝３６を橋絡して形成されている。従って、電線がブッシング２３を介して通線部１８に通線されたときに橋絡部３７により電線の外周面を保持する。
【００４３】
固定用穴３８にはブッシング押さえ部２４の固定用リブ３３が挿入され、固定用穴３９にはブッシング押さえ部２４の補強リブ３４が挿入されてブッシング２３はブッシング押さえ部２４に固定される。また、固定用穴３９に挿入されたブッシング押さえ部２４の補強リブ３４は、ブッシング２３をブッシング押さえ部２４に固定するとともに、その先端部は差込口カバー１４の装着穴に挿入され、ブッシング押さえ部２４の差込口カバー１４への装着を強固なものとする。
【００４４】
本発明の実施の形態によれば、コンセント部１３及び通線部１８を覆う差込口カバー２４は一つの部材で一体的に形成され、絶縁セパレータ部１７は独立部品で形成されてコンセント部１３や通線部１８の取付作業後に本体１２内部の通線部１８とコンセント部１３との間に装着されるので、通線部１８とコンセント部１３との取り付け作業は比較的広い範囲での組み立てとなる。また、差込口カバー２４にコンセント部１３や通線部１８のブッシング２３を形成した後に差込口カバー２４を本体１２に取り付けることも可能となり作業性が向上する。
【００４５】
また、ブッシング押さえ部２４は、差込口カバー１３の係止部２８に爪部３２が係合して係止されるので、ブッシング押さえ部２４を固定するための本体リブを設ける必要がなくなる。また、ブッシング押さえ部２４は、補強リブ３４により差込口カバー１４の装着穴２９に挿入されるので、ブッシング押さえ部２４の差込口カバー１４に対するずれが少なくなり、固着力も向上する。従って、電線がブッシング２３を介して通線部１８に通線され電線がブッシング押さえ部２４内で偏った位置となった場合でもブッシング押さえ部２４の差込口カバー１４に対するずれを抑制できブッシング２３により密着も保持できる。
【００４６】
さらに、ブッシング２３の橋絡部７により電線の外周面を保持するので、電線がブッシング２３のいずれかに偏ることを防止でき、ブッシング２３が捲れて密着度が低下することを抑制できる。
【図面の簡単な説明】
【００４７】
【図１】本発明の実施の形態に係わる防水コンセントの側面内部概略構成図。
【図２】図１のＡ方向から見た本発明の実施の形態に係わる防水コンセントの正面図。
【図３】図１のＢ方向から見た本発明の実施の形態に係わる防水コンセントの背面図。
【図４】図１のＣ方向から見た本発明の実施の形態に係わる防水コンセントの差込口の平面図。
【図５】本発明の実施の形態における差込口カバーの正面図。
【図６】本発明の実施の形態における差込口カバーの背面図。
【図７】図６のＤ方向から見た本発明の実施の形態における差込口カバーの側面図。
【図８】本発明の実施の形態における絶縁セパレータの正面図。
【図９】図８のＥ方向から見た本発明の実施の形態における絶縁セパレータの側面図。
【図１０】本発明の実施の形態における絶縁セパレータの背面図。
【図１１】本発明の実施の形態におけるブッシング押さえ部の正面図。
【図１２】図１１のＦ方向から見た本発明の実施の形態におけるブッシング押さえ部の側面図。
【図１３】図１１のＧ方向から見た本発明の実施の形態におけるブッシング押さえ部の底面図。
【図１４】本発明の実施の形態におけるブッシング押さえ部の背面図。
【図１５】本発明の実施の形態におけるブッシングの正面図。
【図１６】本発明の実施の形態におけるブッシングの背面図。
【符号の説明】
【００４８】
１１…防水コンセント、１２…本体、１３…コンセント部、１４…差込口カバー、１５…電源端子挿入孔、１６…接地極端子挿入孔、１７…絶縁セパレータ部、１８…通線部、１９…アース導体部、２０…アース線取付端子、２１…差込貫通孔、２２…差込貫通孔、２３…ブッシング、２４…ブッシング押さえ部、２５…コード押さえ部、２６…凹部、２７…通線貫通孔、２８…係止部、２９…装着穴、３０…絶縁仕切板、３１…取付部、３２…爪部、３３…固定用リブ、３４…補強リブ、３５…通線貫通孔、３６…切り込み溝、３７…橋絡部、３８…固定用穴、３９…固定用穴
【図１】
2005317358.tif 000003
【図２】
2005317358.tif 000004
【図３】
2005317358.tif 000005
【図４】
2005317358.tif 000006
【図５】
2005317358.tif 000007
【図６】
2005317358.tif 000008
【図７】
2005317358.tif 000009
【図８】
2005317358.tif 000010
【図９】
2005317358.tif 000011
【図１０】
2005317358.tif 000012
【図１１】
2005317358.tif 000013
【図１２】
2005317358.tif 000014
【図１３】
2005317358.tif 000015
【図１４】
2005317358.tif 000016
【図１５】
2005317358.tif 000017
【図１６】
2005317358.tif 000018